【手続補正書】
【提出日】令和1年9月12日(2019.9.12)
【手続補正１】
【補正対象書類名】明細書
【補正対象項目名】００１０
【補正方法】変更
【補正の内容】
【００１０】
本開示の一実施の形態に係る第２の有機電界発光素子、ならびに第２の有機電界発光素子を備えた有機電界発光装置および電子機器によれば、有機発光層と第２反射層との間に膜厚が第２反射層よりも薄い電極層が設けられ、電極層と第２反射層との間に電極層よりも高抵抗の膜厚調整層が設けられ、第１反射層と電極層との間に電流を供給するための配線層が設けられているので、通電安定性を損なうことなく、デバイス特性を改善することができる。なお、上記内容は本開示の一例である。本開示の効果は、上述したものに限らず、他の異なる効果であってもよいし、更に他の効果を含んでいてもよい。
【手続補正２】
【補正対象書類名】明細書
【補正対象項目名】００１８
【補正方法】変更
【補正の内容】
【００１８】
正孔輸送層１３は、反射層１１から注入された正孔を有機発光層１４へ輸送する機能を有する。正孔輸送層１３は、例えば、反射層１１から注入された正孔を有機発光層１４へ輸送する機能を有する材料（正孔輸送性材料）によって構成されている。上記の正孔輸送性材料としては、例えば、アリールアミン誘導体、トリアゾール誘導体、オキサジアゾール誘導体、イミダゾール誘導体、ポリアリールアルカン誘導体、ピラゾリン誘導体及びピラゾロン誘導体、フェニレンジアミン誘導体、アミノ置換カルコン誘導体、オキサゾール誘導体、スチリルアントラセン誘導体、フルオレノン誘導体、ヒドラゾン誘導体、スチルベン誘導体、ブタジエン化合物、ポリスチレン誘導体、トリフェニルメタン誘導体、テトラフェニルベンジン誘導体等、または、これらの組み合わせからなる材料が挙げられる。
【手続補正３】
【補正対象書類名】明細書
【補正対象項目名】００２８
【補正方法】変更
【補正の内容】
【００２８】
そこで本実施の形態においては、例えば、陰極１７の膜厚は反射層１９より薄くなっている。例えば、反射層１９の膜厚は５ｎｍ以上３０ｎｍ以下となっていることが望ましく、陰極１７の膜厚は反射層１９の膜厚よりも薄くなっており、かつ０．１ｎｍ以上１０ｎｍ以下となっていることが望ましい。また、陰極１７の膜厚は反射層１９の膜厚よりも薄くなっており、かつ０．１ｎｍ以上５ｎｍ以下となっていることがより望ましい。そのようにすることで、陰極１７による反射が抑制され、陰極１７がキャビティの反射層としてほとんど機能しなくなり、視野角特性の低下、膜厚ずれによるデバイス特性低下を抑制することが出来る。
【手続補正４】
【補正対象書類名】明細書
【補正対象項目名】００２９
【補正方法】変更
【補正の内容】
【００２９】
一方、陰極１７を薄くすると、シート抵抗が悪化する。つまり、陰極１７を出来るだけ薄く、且つシート抵抗の高抵抗化を抑制する構造が必要になる。そこで、本実施の形態においては、陰極１７が例えばＡｇ層となっており、かつ電子注入層１６が例えばＹｂ層となっている。Ｙｂからなる電子注入層１６の上に陰極１７を成膜することでシート抵抗の低抵抗化を図ることができ、陰極１７が薄くても通電安定性を損なうことなく、デバイス特性を改善することができる。
【手続補正５】
【補正対象書類名】明細書
【補正対象項目名】００３１
【補正方法】変更
【補正の内容】
【００３１】
反射層１９は、透光性を有する透明電極（透光性金属層）である。透明電極の材料としては、例えば、アルミニウム（Ａｌ）、マグネシウム（Ｍｇ）、銀（Ａｇ）、アルミニウム−リチウム合金、マグネシウム−銀合金等が用いられる。透明電極として機能する反射層１９は、例えば、厚さ５ｎｍ以上３０ｎｍ以下のＡｌ層、Ｍｇ層、Ａｇ層、ＡｌＬｉ合金層もしくはＭｇＡｇ合金層である。
【手続補正６】
【補正対象書類名】明細書
【補正対象項目名】００３６
【補正方法】変更
【補正の内容】
【００３６】
有機電界発光素子１００には、本実施の形態に係る有機電界発光素子１と同様のマイクロキャビティ構造が設けられている。本構造においてホールｈは、反射層１１から正孔注入層１２、正孔輸送層１３を通り有機発光層１４に向かう。一方、電子ｅは周辺領域２０Ｂにおいて、電極層２１Ｂから電子輸送層１５、膜厚調整層１８、電子注入層１６、反射層１９を通って画素領域２０Ａに入り、画素領域２０Ａ内で電子注入層１６、膜厚調整層１８、電子輸送層１５を通り有機発光層１４に向かう。そして有機発光層１４においてホールｈと電子ｅが再結合し、発光が起こる。発光が起こると、金属ドープの有機層によって構成された膜厚調整層１８において、ドープ金属が経時的に劣化し、膜厚調整層１８が高抵抗化する。その結果、有機電界発光素子１００に印加される電圧が高電圧化してしまう。また、膜厚調整層１８内のドープ金属が有機発光層１４にまで拡散し、消光が起こり発光特性の悪化を引き起こす。このように、有機電界発光素子１００では、通電安定性が損なわれ、デバイス特性が悪化してしまう。
【手続補正７】
【補正対象書類名】明細書
【補正対象項目名】００３７
【補正方法】変更
【補正の内容】
【００３７】
一方、本実施の形態では、反射層１１（陽極）と反射層１９との間に、互いに接する電子注入層１６（Ｙｂ電子注入層）および陰極１７（Ａｇ電極層）を有機発光層１４側からこの順に積層した積層体が設けられている。本構造においてホールｈは、反射層１１から正孔注入層１２、正孔輸送層１３を通り有機発光層１４に向かう。一方、電子ｅは周辺領域２０Ｂにおいて、電極層２１Ｂから電子輸送層１５、電子注入層１６、陰極１７通って画素領域２０Ａに入り、画素領域２０Ａ内で電子注入層１６、電子輸送層１５を通り有機発光層１４に向かう。そして有機発光層１４においてホールｈと電子ｅが再結合し、発光が起こる。つまり、本構造においては、膜厚調整層１８に電気は流れていない。つまりドープ金属が経時的に劣化し、膜厚調整層１８が高抵抗化することは無い。これにより、通電安定性を損なうことなく、デバイス特性を改善することができる。
【手続補正８】
【補正対象書類名】明細書
【補正対象項目名】００４０
【補正方法】変更
【補正の内容】
【００４０】
＜２．第１の実施の形態の変形例＞
[変形例Ａ]
上記実施の形態において、例えば、図５に示したように、陰極１７（Ａｇ電極層）の反射層１９側に接する保護層２８（Ｙｂ保護層）が設けられていてもよい。保護層２８は、陰極１７（Ａｇ電極層）が非常に薄い場合に抵抗値を下げるための低抵抗層として機能する層である。保護層２８は、例えば、厚さが０．１ｎｍ以上、５ｎｍ以下のＹｂ層である。保護層２８は、膜厚調整層１８よりも低抵抗となっている。
【手続補正９】
【補正対象書類名】明細書
【補正対象項目名】００４４
【補正方法】変更
【補正の内容】
【００４４】
[変形例Ｄ]
また、上記実施の形態、変形例Ａおよび変形例Ｂにおいて、陰極１７の厚さが、例えば、画素領域２０Ａで相対的に薄くなっており、画素領域２０Ａの周辺の領域（周辺領域２０Ｂ）で相対的に厚くなっていてもよい。例えば、図１０に示したように、陰極１７の厚さが、画素領域２０Ａで相対的に薄くなっており、画素領域２０Ａの周辺の領域（周辺領域２０Ｂ）で相対的に厚くなっていてもよい。このようにした場合には、周辺領域２０Ｂでの電圧降下を小さくすることができ、デバイス特性を改善することができる。
【手続補正１０】
【補正対象書類名】明細書
【補正対象項目名】００４６
【補正方法】変更
【補正の内容】
【００４６】
（表示パネル２０）
表示パネル２０は、コントローラ３０およびドライバ４０によって各画素２３がアクティブマトリクス駆動されることにより、外部から入力された映像信号Ｄｉｎおよび同期信号Ｔｉｎに基づく画像を表示する。表示パネル２０は、行方向に延在する複数の走査線ＷＳＬと、列方向に延在する複数の信号線ＤＴＬと、行方向に延在する複数の電源線ＤＳＬと、行列状に配置された複数の画素２３とを有している。
【手続補正１１】
【補正対象書類名】明細書
【補正対象項目名】００６８
【補正方法】変更
【補正の内容】
【００６８】
また、例えば、本開示は以下のような構成を取ることができる。
（１）
第１反射層と、
第２反射層と、
前記第１反射層と前記第２反射層との間に設けられた単色発光の有機発光層と、
前記有機発光層と前記第２反射層との間に設けられたＡｇ電極層と、
前記Ａｇ電極層の前記有機発光層側に接するＹｂ電子注入層と
を備えた
有機電界発光素子。
（２）
前記Ａｇ電極層の前記第２反射層側に接するＹｂ保護層を更に備えた
（１）に記載の有機電界発光素子。
（３）
前記Ａｇ電極層は、前記第２反射層よりも薄くなっている
（１）または（２）に記載の有機電界発光素子。
（４）
前記Ａｇ電極層と前記第２反射層との間に、前記Ａｇ電極層よりも高抵抗の膜厚調整層を更に備えた
（１）から（３）のいずれか１つに記載の有機電界発光素子。
（５）
前記第１反射層および前記Ａｇ電極層と電気的に導通し、前記第１反射層と前記Ａｇ電極層との間に電流を供給するための配線を更に備えた
（１）から（４）のいずれか１つに記載の有機電界発光素子。
（６）
前記第２反射層と前記Ａｇ電極層とが電気的に導通している
（１）から（５）のいずれか１つに記載の有機電界発光素子。
（７）
前記第２反射層と前記Ａｇ電極層とが、前記有機発光層の発光領域と非対向の領域において電気的に導通している
（６）に記載の有機電界発光素子。
（８）
前記第１反射層と前記第２反射層との間の距離が、キャビティが生じる光路長となっている
（１）から（７）のいずれか１つに記載の有機電界発光素子。
（９）
複数の有機電界発光素子を備え、
前記複数の有機電界発光素子のうちの少なくとも１つは、
第１反射層と、
第２反射層と、
前記第１反射層と前記第２反射層との間に設けられた単色発光の有機発光層と、
前記有機発光層と前記第２反射層との間に設けられたＡｇ電極層と、
前記Ａｇ電極層の前記有機発光層側に接するＹｂ電子注入層と
を有する
有機電界発光装置。
（１０）
前記複数の有機電界発光素子は、画素領域に設けられ、
前記第２反射層と前記Ａｇ電極層とが、前記画素領域の周辺の領域で電気的に導通している
（９）に記載の有機電界発光装置。
（１１）
複数の有機電界発光素子を有する有機電界発光装置を備え、
前記複数の有機電界発光素子のうちの少なくとも１つは、
第１反射層と、
第２反射層と、
前記第１反射層と前記第２反射層との間に設けられた単色発光の有機発光層と、
前記有機発光層と前記第２反射層との間に設けられたＡｇ電極層と、
前記Ａｇ電極層の前記有機発光層側に接するＹｂ電子注入層と
を有する
電子機器。
（１２）
第１反射層と、
第２反射層と、
前記第１反射層と前記第２反射層との間に設けられた単色発光の有機発光層と、
前記有機発光層と前記第２反射層との間に設けられた、膜厚が前記第２反射層よりも薄い電極層と、
前記電極層と前記第２反射層との間に設けられた、前記電極層よりも高抵抗の膜厚調整層と、
前記第１反射層と前記電極層との間に電流を供給するための配線層と
を備えた
有機電界発光素子。
（１３）
前記第２反射層と前記電極層とが、画素領域の周辺の領域で電気的に導通している
（１２）に記載の有機電界発光素子。
（１４）
第１反射層と、
第２反射層と、
前記第１反射層と前記第２反射層との間に設けられた単色発光の有機発光層と、
前記有機発光層と前記第２反射層との間に設けられた電極層と、
前記電極層と前記第２反射層との間に設けられた、前記電極層よりも高抵抗の膜厚調整層と、
前記第１反射層と前記電極層との間に電流を供給するための配線層と
を備えた
有機電界発光素子。
（１５）
前記電極層の膜厚が、画素領域で相対的に薄くなっており、前記画素領域の周辺の領域で相対的に厚くなっている
（１４）に記載の有機電界発光素子。
【手続補正１２】
【補正対象書類名】図面
【補正対象項目名】図６
【補正方法】変更
【補正の内容】
【図６】
2019083187.tif 000001